(57)【要約】【課題】入浴の際に、ヒートショックを予防するための暖房運転をユーザに促すこと。【解決手段】情報処理装置において、湯張り操作を受け付ける受付部と、前記受付部により湯張り操作が受け付けられた際、脱衣室および浴室の少なくとも一方の室温を取得する取得部と、前記取得部により取得された室温が所定の閾値以下であるか否かを判定する判定部と、前記判定部により、前記取得された室温が所定の閾値以下であると判定された場合、前記脱衣室および前記浴室の少なくとも一方に設置された暖房機の暖房運転を促すメッセージを報知させる報知部と、を備える。【選択図】図４
2018063084.tif 000002
【特許請求の範囲】
【請求項１】
湯張り操作を受け付ける受付部と、
前記受付部により湯張り操作が受け付けられた際、脱衣室および浴室の少なくとも一方の室温を取得する取得部と、
前記取得部により取得された室温が所定の閾値以下であるか否かを判定する判定部と、
前記判定部により、前記取得された室温が所定の閾値以下であると判定された場合、前記脱衣室および前記浴室の少なくとも一方に設置された暖房機の暖房運転を促すメッセージを報知させる報知部と、
を備えることを特徴とする情報処理装置。
【請求項２】
前記報知部により前記メッセージが報知された際、所定の操作を受け付けると、湯張り開始を熱源機に指示するとともに、暖房運転の開始を前記暖房機に指示する指示部を備えることを特徴とする請求項１記載の情報処理装置。
【請求項３】
前記指示部は、熱源機から取得した湯張りの設定湯量に基づいて、暖房運転の強度を前記暖房機に指示することを特徴とする請求項２に記載の情報処理装置。
【請求項４】
前記指示部は、ユーザによる入浴の完了が検知された際に、暖房運転の終了を前記暖房機に指示することを特徴とする請求項２または３に記載の情報処理装置。
【請求項５】
前記取得部は、熱源機から湯張り完了を通知された後、前記脱衣室および前記浴室の少なくとも一方の室温を再度取得し、
前記報知部は、熱源機から湯張り完了を通知された後、前記判定部により、前記再度取得された室温が所定の閾値以下でないと判定された場合、入浴の準備が完了したことを報知させることを特徴とする請求項１乃至４のいずれか一項に記載の情報処理装置。
【請求項６】
情報処理装置が、
湯張り操作を受け付けるステップと、
前記湯張り操作が受け付けられた際、脱衣室および浴室の少なくとも一方の室温を取得するステップと、
前記取得された室温が所定の閾値以下であるか否かを判定するステップと、
前記取得された室温が所定の閾値以下であると判定された場合、前記脱衣室および前記浴室の少なくとも一方に設置された暖房機の暖房運転を促すメッセージを報知させるステップと、
を実行することを特徴とする情報処理方法。
【請求項７】
情報処理装置に、
湯張り操作を受け付けるステップと、
前記湯張り操作が受け付けられた際、脱衣室および浴室の少なくとも一方の室温を取得するステップと、
前記取得された室温が所定の閾値以下であるか否かを判定するステップと、
前記取得された室温が所定の閾値以下であると判定された場合、前記脱衣室および前記浴室の少なくとも一方に設置された暖房機の暖房運転を促すメッセージを報知させるステップと、
を実行させることを特徴とするプログラム。
【発明の詳細な説明】
【技術分野】
【０００１】
本発明は、情報処理装置、情報処理方法、及びプログラムに関する。
【背景技術】
【０００２】
従来、スマートフォン等の端末からの遠隔操作により、エアコン等の各種機器を制御する技術が知られている。
【０００３】
特許文献１には、スマートフォンなどの携帯型情報処理端末から、風呂給湯器に、風呂の自動運転のオン／オフ等を指示することが記載されている。
【先行技術文献】
【特許文献】
【０００４】
【特許文献１】特開２０１６−０５０６９２号公報
【発明の概要】
【発明が解決しようとする課題】
【０００５】
しかしながら、従来技術では、端末からの遠隔操作により、浴槽の湯張り開始を指示する際に、ヒートショックを予防するための処理を行うことについては考慮されていない。
【０００６】
そこで、入浴の際に、ヒートショックを予防するための暖房運転をユーザに促すことができる技術を提供することを目的とする。
【課題を解決するための手段】
【０００７】
情報処理装置において、湯張り操作を受け付ける受付部と、前記受付部により湯張り操作が受け付けられた際、脱衣室および浴室の少なくとも一方の室温を取得する取得部と、前記取得部により取得された室温が所定の閾値以下であるか否かを判定する判定部と、前記判定部により、前記取得された室温が所定の閾値以下であると判定された場合、前記脱衣室および前記浴室の少なくとも一方に設置された暖房機の暖房運転を促すメッセージを報知させる報知部と、を備える。
【発明の効果】
【０００８】
開示の技術によれば、入浴の際に、ヒートショックを予防するための暖房運転をユーザに促すことが可能となる。
【図面の簡単な説明】
【０００９】
【図１】実施形態に係る制御システムの構成例を示す図である。
【図２】実施の形態に係る情報端末のハードウェア構成例を示す図である。
【図３】実施形態に係る情報端末の機能構成の一例を示す図である。
【図４】実施形態に係る制御システムの処理の一例を示すシーケンス図である。
【図５】情報端末の表示画面例を示す図である。
【発明を実施するための形態】
【００１０】
以下、図面に基づいて本発明の実施形態を説明する。図１は、実施形態に係る制御システム１の構成例を示す図である。図１において、制御システム１は、情報端末１０、制御装置２０、熱源機リモコン３０、熱源機４０、脱衣室暖房機５０、及び浴室暖房乾燥機６０を有する。
【００１１】
情報端末１０と制御装置２０は、例えば、インターネット、携帯電話網等の通信網や、無線ＬＡＮ（Ｌｏｃａｌ  Ａｒｅａ  Ｎｅｔｗｏｒｋ）、Ｂｌｕｅｔｏｏｔｈ（登録商標）等の近距離無線通信により通信可能に接続される。
【００１２】
制御装置２０と熱源機リモコン３０は、例えば無線ＬＡＮやＨＡ端子を介した有線により、通信可能に接続される。
【００１３】
熱源機リモコン３０、熱源機４０、及び浴室暖房乾燥機６０は、例えばＴＥＳ等の有線により、通信可能に接続される。
【００１４】
情報端末１０は、例えばスマートフォン、タブレット、ウェアラブルデバイス等、ノートパソコン等の端末である。
【００１５】
制御装置２０は、例えばネットワーク接続可能な学習リモコンである。制御装置２０は、例えば、赤外線のリモコンコマンドを学習しておき、情報端末１０からの指示に従い、リモコンコマンドを熱源機リモコン３０や脱衣室暖房機５０に送信する。
【００１６】
また、制御装置２０は、例えば脱衣室に設置され、内蔵または外付けの温度センサにより検出された脱衣室の室温を、情報端末１０に通知する。
【００１７】
熱源機リモコン３０は、例えば台所等に設置される熱源機４０用のリモコンである。熱源機リモコン３０は、制御装置２０から例えば赤外線または有線でのリモコンコマンドを受信すると、熱源機４０にコマンドを転送する。
【００１８】
熱源機４０は、熱源機リモコン３０から受信したコマンドに従って、浴槽に湯を供給する。また、熱源機リモコン３０から受信したコマンドに従って、浴室暖房乾燥機６０を制御する。
【００１９】
脱衣室暖房機５０は、脱衣室に設置される暖房機であり、制御装置２０からのリモコンコマンドを受信すると、リモコンコマンドに従った暖房運転を行う。
【００２０】
浴室暖房乾燥機６０は、浴室に設置される暖房機であり、熱源機４０からの指示に従った暖房運転を行う。
【００２１】
＜ハードウェア構成＞
図２は、実施の形態に係る情報端末１０のハードウェア構成例を示す図である。図２の情報端末１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００２２】
情報端末１０での処理を実現する情報処理プログラムは、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。  
メモリ装置１０３は、プログラムの起動指示があった場合に、補助記憶装置１０２からプログラムを読み出して格納する。ＣＰＵ１０４は、メモリ装置１０３に格納されたプログラムに従って情報端末１０に係る機能を実現する。インタフェース装置１０５は、ネットワークに接続するためのインタフェースとして用いられる。表示装置１０６はプログラムによるＧＵＩ（Graphical  User  Interface）等を表示する。入力装置１０７はタッチパネル及びボタン等、またはキーボード及びマウス等で構成され、様々な操作指示を入力させるために用いられる。
【００２３】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard  Disk  Drive）又はフラッシュメモリ等が挙げられる。記録媒体１０１及び補助記憶装置１０２のいずれについても、コンピュータ読み取り可能な記録媒体に相当する。
【００２４】
＜機能構成＞
次に、図３を参照し、実施形態に係る情報端末１０の機能構成について説明する。図３は、実施形態に係る情報端末１０の機能構成の一例を示す図である。
【００２５】
情報端末１０は、受付部１１、取得部１２、判定部１３、報知部１４、指示部１５、及び通信部１６を備える。これら各部は、情報端末１０にインストールされた１以上のプログラムが、情報端末１０のＣＰＵ１０４に実行させる処理により実現される。
【００２６】
受付部１１は、ユーザからの湯張り操作を受け付ける。なお、「湯張り操作」とは、熱源機４０により浴槽内のお湯を入浴可能な状態にするための操作である。「湯張り操作」には、例えば、予め設定された温度、及び湯量にて湯張りを行った後に自動で追い炊き等により保温まで行う「自動湯張り」機能の開始操作、浴槽内の湯を予め設定された温度まで追い炊きする「追い炊き」機能の開始操作、所定の湯量を浴槽に加える「足し湯」機能の開始操作等が含まれる。
【００２７】
取得部１２は、受付部１１により湯張り操作が受け付けられた際、例えば制御装置２０から、脱衣室及び浴室の少なくとも一方の室温を取得する。なお、取得部１２は、例えば熱源機リモコン３０を介して、脱衣室暖房機５０や浴室暖房乾燥機６０から、脱衣室や浴室の室温を取得してもよい。
【００２８】
判定部１３は、取得部１２により取得された室温が所定の閾値以下であるか否かを判定する。
【００２９】
報知部１４は、判定部１３により、取得された室温が所定の閾値以下であると判定された場合、脱衣室暖房機５０または浴室暖房乾燥機６０の暖房運転を促すメッセージを画面、音声、振動等により報知する。
【００３０】
指示部１５は、報知部１４により表示された暖房運転を促すメッセージの表示画面において、ユーザから所定の操作を受け付けると、湯張り開始を例えば制御装置２０及び熱源機リモコン３０を介して熱源機４０に指示するとともに、暖房運転の開始を脱衣室暖房機５０または浴室暖房乾燥機６０に指示する。
【００３１】
通信部１６は、制御装置２０との通信を行う。
【００３２】
＜処理＞
次に、図４、図５を参照し、実施形態に係る制御システム１の処理について説明する。図４は、実施形態に係る制御システム１の処理の一例を示すシーケンス図である。図５は、情報端末１０の表示画面例を示す図である。
【００３３】
ステップＳ１０１において、情報端末１０の受付部１１は、ユーザから浴槽の湯張り操作を受け付ける。
【００３４】
図５（Ａ）は、ユーザから浴槽の湯張り操作を受け付ける際の表示画面例である。湯張りの操作ボタン５０１を操作されることにより、湯張り操作が受け付けられる。
【００３５】
続いて、情報端末１０の取得部１２は、制御装置２０から、脱衣室の室温を取得する（ステップＳ１０２）。
【００３６】
続いて、情報端末１０の判定部１３は、脱衣室の室温が所定の閾値以下であるか否かを判定し（ステップＳ１０３）、閾値以下である場合、情報端末１０の報知部１４は、脱衣室暖房機５０、及び浴室暖房乾燥機６０の起動を促すメッセージと、当該起動を指示する操作ボタンを表示する（ステップＳ１０４）。なお、報知部１４は、浴室暖房乾燥機６０の起動を促すメッセージを音声等により報知してもよい。
【００３７】
図５（Ｂ）は、脱衣室暖房機５０、及び浴室暖房乾燥機６０の起動を促すメッセージを表示する際の表示画面例である。この表示画面において「はい」５０２を選択されると、脱衣室暖房機５０、及び浴室暖房乾燥機６０を起動させる。なお、ステップＳ１０３で閾値以下でない場合や、図５（Ｂ）の画面で「いいえ」５０３が選択された場合、情報端末１０の指示部１５は、制御装置２０に、湯張り指示を送信する。これにより、暖房は行われず、湯張りのみが行われる。
【００３８】
続いて、情報端末１０の指示部１５は、脱衣室暖房機５０、及び浴室暖房乾燥機６０の起動操作を受付部１１により受け付けると、制御装置２０に、湯張り指示、脱衣室暖房機５０、及び浴室暖房乾燥機６０の起動指示を送信する（ステップＳ１０５）。
【００３９】
続いて、制御装置２０は、脱衣室暖房機５０に起動指示を送信し、暖房運転を開始させるとともに（ステップＳ１０６）、湯張り指示、及び浴室暖房乾燥機６０の起動指示を、熱源機リモコン３０を介して熱源機４０に送信する（ステップＳ１０７）。
【００４０】
続いて、熱源機４０は、湯張りを開始するとともに、浴室暖房乾燥機６０に暖房運転を開始させる（ステップＳ１０８）。
【００４１】
続いて、熱源機４０は、湯張りが完了すると、湯張りが完了したことを、熱源機リモコン３０及び制御装置２０を介して、情報端末１０に通知する（ステップＳ１０９）。
【００４２】
続いて、情報端末１０の取得部１２は、制御装置２０から脱衣室の室温を取得し（ステップＳ１１０）、脱衣室の室温が、所定の閾値を超えているか否かを判定する（ステップＳ１１１）。脱衣室の室温が、所定の閾値を超えていない場合、例えば一定時間待機し、ステップＳ１１０の処理に進む。
【００４３】
脱衣室の室温が所定の閾値を超えている場合、情報端末１０の報知部１４は、入浴の準備が完了したことを報知する（ステップＳ１１２）。図５（Ｃ）は、入浴の準備が完了したことを報知する際の表示画面例である。湯張りと暖房の両方が完了したときに、入浴の準備が完了したことがユーザに通知される。
【００４４】
なお、情報端末１０の指示部１５は、ユーザの入浴の完了が検知された際に、浴室暖房乾燥機６０及び脱衣室暖房機５０の暖房運転を停止させる指示を送信してもよい。この場合、情報端末１０は、例えば、浴槽に設置された水量を測るセンサにより、湯が抜かれたことを熱源機４０が検知した際に、ユーザの入浴が完了したと判定してもよい。または、情報端末１０は、例えば浴槽に設置された水位を測るセンサにより所定時間（例えば１０秒）以内に所定値以上水位が減少し、当該所定値以上水位が減少した状態が所定時間（例えば１０分）継続したことを熱源機４０が検知した場合、ユーザが浴槽から出て体も洗い終わったと推定できるため、ユーザの入浴が完了したと判定してもよい。あるいは、情報端末１０は、例えば浴室に設置された人感センサ等により人が検知されなくなった際に、ユーザの入浴が完了したと判定してもよい。ユーザの入浴の完了の検知は、他の公知技術を用いて検知されてもよい。
【００４５】
＜変形例＞
上述した例では、ステップＳ１１２で、湯張りが完了後、脱衣室の室温が所定の閾値を超えている場合、入浴の準備が完了したことを報知する例について説明した。これに変えて、浴室の室温が所定の閾値を超えている場合、入浴の準備が完了したことを報知してもよい。または、浴室及び脱衣室の室温が、それぞれ所定の閾値を超えている場合、入浴の準備が完了したことを報知してもよい。
【００４６】
浴室及び脱衣室の室温は、それぞれ、浴室暖房乾燥機６０及び脱衣室暖房機５０で消費されている電力量に基づいて判断されてもよい。この場合、情報端末１０は、上述した所定の閾値を設定温度に指定した暖房運転を開始させる。そして、情報端末１０は、例えば電力メータから浴室暖房乾燥機６０及び脱衣室暖房機５０で消費されている電力量を推定する。そして、情報端末１０は、推定された浴室暖房乾燥機６０及び脱衣室暖房機５０で消費されている電力量が所定の閾値以下となった場合に、暖房が完了し、浴室及び脱衣室の室温が、所定の閾値を超えていると判定する。
【００４７】
情報端末１０の指示部１５は、熱源機４０から取得した浴槽の湯張りの設定湯量に基づいて、浴室暖房乾燥機６０や脱衣室暖房機５０の暖房運転の強度を指示してもよい。これにより、例えば、熱源機リモコン３０等で設定された湯張りの設定湯量が比較的少ない場合は、比較的速く湯張りが完了するため、比較的強い強度で暖房運転を開始させることができる。また、湯張りの設定湯量が比較的多い場合は、比較的遅く湯張りが完了するため、比較的弱い強度で暖房運転を開始させることにより、比較的省エネルギーで暖房できる。
【００４８】
＜まとめ＞
従来、例えばガスや電力の供給事業者が、ヒートショック予防のために暖房運転をユーザに勧めても、ユーザの体感する室温が寒くても入浴すれば体が暖まるため、ユーザが暖房運転を行わない場合がある。なお、ヒートショック関連の年間死者数は、交通事故死の４倍以上に上るとの報告もある。
【００４９】
上述した実施形態によれば、湯張り操作が受け付けられた際、脱衣室および浴室の少なくとも一方の室温が所定の閾値以下であれば、脱衣室および浴室の少なくとも一方に設置された暖房機の暖房運転を促すメッセージを報知させる。これにより、入浴の際に、ヒートショックを予防するための暖房運転をユーザに促すことができる。
【００５０】
以上、本発明の実施例について詳述したが、本発明は斯かる特定の実施形態に限定されるものではなく、特許請求の範囲に記載された本発明の要旨の範囲内において、種々の変形・変更が可能である。
【００５１】
例えば、取得部１２、判定部１３、及び指示部１５の少なくとも一つは、１以上のコンピュータにより構成されるクラウドコンピューティングにより実現されていてもよい。または、取得部１２、判定部１３、及び指示部１５の少なくとも一つは、制御装置２０側に設けた構成としてもよい。
【００５２】
情報端末１０と制御装置２０は、一体の装置として構成してもよい。情報端末１０と熱源機リモコン３０間の通信は、制御装置２０を介さずに行うようにしてもよい。この場合、例えば宅内無線ＬＡＮ親機を介して、情報端末１０と熱源機リモコン３０間の通信を行うようにしてもよい。
【００５３】
情報端末１０は、制御装置２０や熱源機リモコン３０を介さずに、例えば宅内無線ＬＡＮ親機を介して、熱源機４０、浴室暖房乾燥機６０、脱衣室暖房機５０との通信を行うようにしてもよい。
【００５４】
上述した実施形態における情報端末１０の一部、または全部を、ＬＳＩ（Ｌａｒｇｅ  Ｓｃａｌｅ  Ｉｎｔｅｇｒａｔｉｏｎ）等の集積回路として実現してもよい。情報端末１０の各機能ブロックは個別にプロセッサ化してもよいし、一部、または全部を集積してプロセッサ化してもよい。
【符号の説明】
【００５５】
１  制御システム
１０  情報端末（「情報処理装置」の一例）
１１  受付部
１２  取得部
１３  判定部
１４  報知部
１５  指示部
１６  通信部
２０  制御装置
３０  熱源機リモコン
４０  熱源機
５０  脱衣室暖房機（脱衣室に設置された「暖房機」の一例）
６０  浴室暖房乾燥機（浴室に設置された「暖房機」の一例）
【図１】
2018063084.tif 000003
【図２】
2018063084.tif 000004
【図３】
2018063084.tif 000005
【図４】
2018063084.tif 000006
【図５】
2018063084.tif 000007